(57)【要約】【課題】スケールによって流路が詰まることを抑制することができる衛生洗浄装置を提供することを目的とする。【解決手段】水を吐出する吐水部と、前記水を貯留するタンクと、前記タンクよりも下流側へ前記タンク内の前記水を流出させる流出口と、前記タンクの満水水位を超える余剰水を前記タンク外へ排出する排出口と、を有する逆流防止機構と、前記逆流防止機構よりも下流側に設けられ、前記水を加熱する瞬間式の熱交換器と、前記逆流防止機構の下流側かつ前記熱交換器の上流側に設けられ、前記水を濾過するストレーナと、を備えたことを特徴とする衛生洗浄装置が提供される。【選択図】図２
2019132052.tif 000002
【特許請求の範囲】
【請求項１】
水を吐出する吐水部と、
前記水を貯留するタンクと、前記タンクよりも下流側へ前記タンク内の前記水を流出させる流出口と、前記タンクの満水水位を超える余剰水を前記タンク外へ排出する排出口と、を有する逆流防止機構と、
前記逆流防止機構よりも下流側に設けられ、前記水を加熱する瞬間式の熱交換器と、
前記逆流防止機構の下流側かつ前記熱交換器の上流側に設けられ、前記水を濾過するストレーナと、
を備えたことを特徴とする衛生洗浄装置。
【請求項２】
前記ストレーナの下流側かつ前記熱交換器の上流側に設けられ、前記タンク内に貯留された水を、前記逆流防止機構よりも下流側へ流出させるポンプをさらに備えたことを特徴とする請求項１記載の衛生洗浄装置。
【請求項３】
前記流出口から前記ストレーナまでの断面積は、前記流出口の断面積と同じ、または、前記流出口の前記断面積よりも大きいことを特徴とする請求項２記載の衛生洗浄装置。
【請求項４】
前記吐水部、前記逆流防止機構、前記熱交換器及び前記ストレーナを収納するケーシングをさらに備え、
前記ストレーナは、前記ケーシングに設けられた開口部を介して着脱可能であることを特徴とする請求項２または３に記載の衛生洗浄装置。
【請求項５】
前記ストレーナの位置は、前記ポンプの位置よりも低いことを特徴とする請求項４記載の衛生洗浄装置。
【発明の詳細な説明】
【技術分野】
【０００１】
本発明の態様は、一般的に、衛生洗浄装置に関する。
【背景技術】
【０００２】
ノズルから水を吐出して人体局部を洗浄する衛生洗浄装置の流路においては、水に含まれる成分の析出体（スケール）が発生することがある。例えば、硬度の高い水が使用される地域では、スケールが発生し易い。スケールが発生すると流路が閉塞し、衛生洗浄装置の吐水動作に不具合が生じる恐れがある。
【０００３】
一方、衛生洗浄装置には、汚水が流路を逆流することを防止するための逆流防止機構が設けられることがある。逆流防止機構は、大気開放されたエアギャップを形成する機構であり、エアギャップによって流路の一部が分断される。例えば、上流から供給された水を貯留するタンクを有する逆流防止機構と、タンク内の水を下流側のノズルへ汲み出すポンプと、を有する衛生洗浄装置が知られている。逆流防止機構に用いられるタンクにおいては、水が満たされた状態と、水が減少して乾燥した状態とが繰り返されるため、スケールが発生しやすい。また、水に含まれる成分は、水温が高いと水に溶けにくくなる。そのため、水温が高いと、スケールが発生しやすいことが知られている。発生したスケールが下流側へ流れると、流路の狭い部分がスケールによって詰まってしまう恐れがある。そこで、流路上に水を濾過するためのストレーナを設けた衛生洗浄装置がある（特許文献１）。
【先行技術文献】
【特許文献】
【０００４】
【特許文献１】特開２０１７−００２５０１号公報
【発明の概要】
【発明が解決しようとする課題】
【０００５】
逆流防止機構を有する衛生洗浄装置においては、水を加熱して温水を生成する瞬間式の熱交換器が設けられることがある。これにより、ノズルから吐出される温水で人体局部を洗浄することができる。瞬間式熱交換器は、例えば、発熱体と、発熱体の周りに形成された流路と、を有する。発熱体の周りに形成された流路を水が通過することで、水が加熱される。
【０００６】
瞬間式熱交換器の流路においては、水温が高いため、スケールが発生しやすい。逆流防止機構において発生したスケールが、瞬間式熱交換器にまで流されると、瞬間式熱交換器の流路が詰まりやすくなってしまう恐れがある。例えば、逆流防止機構内で発生したスケールが、熱交換器内の流路で大きく成長してしまい、瞬間式熱交換器の流路が詰まりやすくなってしまう恐れがある。
【０００７】
また、瞬間式熱交換器においては、短時間で水を十分に加熱するために、発熱体の周りの流路は、比較的狭く形成される場合がある。さらに、衛生洗浄装置の不使用時においては、瞬間式熱交換器の流路から、水が排出される場合がある。つまり、瞬間式熱交換器の流路は、水が満たされた状態と、乾燥した状態とを繰り返す。このような場合には、瞬間式熱交換器の流路は、スケールによってさらに詰まりやすくなってしまう恐れがある。
【０００８】
本発明は、かかる課題の認識に基づいてなされたものであり、スケールによって流路が詰まることを抑制することができる衛生洗浄装置を提供することを目的とする。
【課題を解決するための手段】
【０００９】
第１の発明は、水を吐出する吐水部と、前記水を貯留するタンクと、前記タンクよりも下流側へ前記タンク内の前記水を流出させる流出口と、前記タンクの満水水位を超える余剰水を前記タンク外へ排出する排出口と、を有する逆流防止機構と、前記逆流防止機構よりも下流側に設けられ、前記水を加熱する瞬間式の熱交換器と、前記逆流防止機構の下流側かつ前記熱交換器の上流側に設けられ、前記水を濾過するストレーナと、を備えたことを特徴とする衛生洗浄装置である。
【００１０】
この衛生洗浄装置によれば、ストレーナが逆流防止機構の下流側かつ熱交換器の上流側に設けられるため、逆流防止機構において発生したスケールは、熱交換器に流れる前にストレーナによって捕集される。これにより、スケールが熱交換器に流れることを抑制でき、スケールによって熱交換器内の流路が詰まることを抑制することができる。
【００１１】
第２の発明は、第１の発明において、前記ストレーナの下流側かつ前記熱交換器の上流側に設けられ、前記タンク内に貯留された水を、前記逆流防止機構よりも下流側へ流出させるポンプをさらに備えたことを特徴とする衛生洗浄装置である。
【００１２】
この衛生洗浄装置によれば、ポンプの上流側にストレーナが設けられるため、逆流防止機構において発生したスケールは、ポンプに流れる前にストレーナによって捕集される。これにより、スケールがポンプに流れることを抑制でき、スケールによってポンプ内の流路が詰まることを抑制することができる。スケールの詰まりによってポンプが動作しなくなることを抑制することができる。
【００１３】
第３の発明は、第２の発明において  前記流出口から前記ストレーナまでの断面積は、前記流出口の断面積と同じ、または、前記流出口の前記断面積よりも大きいことを特徴とする衛生洗浄装置である。
【００１４】
この衛生洗浄装置によれば、流出口の下流側において、流路が流出口よりも狭くなる部分よりも上流側にストレーナが設けられる。例えば、流出口の直後にストレーナが設けられる。これにより、逆流防止機構において発生したスケールは、流路の狭い部分に流れる前にストレーナによって捕集されるため、スケールによって流路が詰まることをより抑制することができる。
【００１５】
第４の発明は、第２又は第３の発明において、前記吐水部、前記逆流防止機構、前記熱交換器及び前記ストレーナを収納するケーシングをさらに備え、前記ストレーナは、前記ケーシングに設けられた開口部を介して着脱可能であることを特徴とする衛生洗浄装置である。
【００１６】
この衛生洗浄装置によれば、ケーシングを取り外すことなく、ストレーナを着脱することができるため、ストレーナに付着したスケールを衛生洗浄装置の外部へ容易に排出することができる。
【００１７】
第５の発明は、第４の発明において、前記ストレーナの位置は、前記ポンプの位置よりも低いことを特徴とする衛生洗浄装置である。
【００１８】
この衛生洗浄装置によれば、ストレーナを取り外した際に、逆流防止機構において発生したスケールを含む水が、下流側のポンプに流入することを抑制することができる。これにより、スケールによってポンプ内の流路が詰まることをより抑制することができる。
【発明の効果】
【００１９】
本発明の態様によれば、スケールによって流路が詰まることを抑制することができる衛生洗浄装置が提供される。
【図面の簡単な説明】
【００２０】
【図１】実施形態に係る衛生洗浄装置を備えたトイレ装置を表す斜視図である。
【図２】実施形態に係る衛生洗浄装置の流路を例示するブロック図である。
【図３】実施形態に係る衛生洗浄装置のケーシングを例示する平面図である。
【図４】実施形態に係る衛生洗浄装置の逆流防止機構、ストレーナ及びポンプを例示する平面図である。
【図５】図５（ａ）〜図５（ｃ）は、実施形態に係る衛生洗浄装置の逆流防止機構を例示する模式図である。
【図６】実施形態に係る逆流防止機構及びストレーナを例示する断面図である。
【図７】実施形態に係る逆流防止機構及びストレーナを例示する分解斜視図である。
【図８】実施形態に係る衛生洗浄装置の一部を例示する斜視図である。
【図９】実施形態に係る熱交換器を例示する断面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を表す斜視図である。  
図１に表したように、トイレ装置は、洋式腰掛便器（以下説明の便宜上、単に「便器」と称する）８００と、その上に設けられた衛生洗浄装置１００と、を備える。便器８００は、トイレ室の床面に設置される「床置き式」でもよいし、トイレ室の壁面やライニングに設置される「壁掛け式」であってもよい。衛生洗浄装置１００は、ケーシング４００と、便座２００と、便蓋３００と、を有する。便座２００と便蓋３００とは、ケーシング４００に対して開閉自在にそれぞれ軸支されている。
【００２２】
ケーシング４００の内部には、便座２００に座った使用者の「おしり」などの洗浄を実現する身体洗浄機能部などが内蔵されている。例えば、身体洗浄機能部は、洗浄ノズル（以下説明の便宜上、単に「ノズル」と称する）４７３を有する。例えば、使用者がリモコンなどを操作すると、ノズル４７３をケーシング４００内から便器８００のボウル８０１内に進出させることができる。なお、図１に表した衛生洗浄装置１００では、ノズル４７３がボウル８０１内に進出した状態を表している。ノズル４７３は、ボウル８０１内に進出した状態で、先端部に設けられた吐水口３１から人体局部に向けて水を吐出し、人体局部の洗浄を行う。
【００２３】
なお、本願明細書において「水」という場合には、冷水のみならず、加熱されたお湯も含むものとする。また、本願明細書において、「前方」、「後方」、「上方」、「下方」、「左側方」、「右側方」は、開いた便蓋３００に背を向けて便座２００に座った使用者から見た方向をいうものとする。
【００２４】
図２は、実施形態に係る衛生洗浄装置の流路を例示するブロック図である。  
図３は、実施形態に係る衛生洗浄装置のケーシングを例示する平面図である。  
ケーシング４００は、ケースプレート４００ｐ（図３参照）と、ケースプレート４００ｐを上方から覆うケースカバー４００ｃ（図１参照）と、を有する。図３では、ケースカバー４００ｃ（図１参照）を取り外した状態を模式的に表している。また、図３に示す矢印は、水の流れる経路を模式的に表している。
【００２５】
衛生洗浄装置１００は、バルブユニット４３０、逆流防止機構４３４、ストレーナ４３５、ポンプ４３６、熱交換器４４０、及びノズル４７３（吐水部）を有する。これらは、ケースプレート４００ｐ上に配置され、ケーシング４００内（ケースプレート４００ｐとケースカバー４００ｃとの間）に収納されている。
【００２６】
図２に示すように、衛生洗浄装置１００は、ケーシング４００内に配置された給水路２０を有する。給水路２０は、水道や貯水タンクなどの給水源１０から供給された水をノズル４７３へ供給する。つまり、給水路２０は、ノズル４７３から吐出される水を、ノズル４７３へ導く。
【００２７】
給水路２０には、バルブユニット４３０、逆流防止機構４３４、ストレーナ４３５、ポンプ４３６、熱交換器４４０、及びノズル４７３などの各部と、これら各部を接続する複数の配管と、が設けられている。
【００２８】
バルブユニット４３０は、電磁弁４３１や調圧弁４３２などを有する。電磁弁４３１は、開閉可能な電磁バルブであり、水の供給を制御する。換言すれば、電磁弁４３１は、給水路２０を開閉する。電磁弁４３１を開状態にすることにより、給水源１０から供給された水が、下流側へ流れる。
【００２９】
電磁弁４３１の下流には、調圧弁４３２が設けられている。調圧弁４３２は、給水圧が高い場合に、給水路２０内の圧力を所定の圧力範囲に調整する。調圧弁４３２の下流には、逆止弁が設けられてもよい。逆止弁は、給水路２０内の圧力が低下した場合などに、逆止弁よりも上流側への水の逆流を抑制する。また、バルブユニット４３０には、定流量弁やストレーナなどが設けられてもよい。
【００３０】
バルブユニット４３０の下流には、逆流防止機構４３４が設けられている。逆流防止機構４３４は、給水路２０の経路上に設けられ、バルブユニット４３０を介して流入した水を内部に貯留するタンク７０６（図４を参照）を有する。また、逆流防止機構４３４は、内部にエアギャップを形成することにより、給水路２０において、逆流防止機構４３４よりも下流側から上流側に向かう水の流れを物理的に遮断する。換言すれば、逆流防止機構４３４は、給水路２０の逆流防止機構４３４よりも下流側の部分と上流側の部分とを縁切りする。これにより、逆流防止機構４３４は、ノズル４７３内の洗浄水やボウル８０１内に溜まった汚水などが、給水源１０（上水）側に逆流してしまうことを確実に抑制する。
【００３１】
逆流防止機構４３４の下流には、ストレーナ４３５が設けられている。ストレーナ４３５は、逆流防止機構４３４の流出口７０２から下流へ流出した水を濾過する。
【００３２】
ストレーナ４３５の下流には、ポンプ４３６が設けられている。ポンプ４３６は、逆流防止機構４３４のタンクに貯留された水を、給水路２０の逆流防止機構４３４よりも下流側へ、流出口７０２から流出させる。ポンプ４３６は、逆流防止機構４３４のタンクに貯留された水を、ストレーナ４３５を介して汲み出す。これにより、ポンプ４３６は、逆流防止機構４３４のタンクに貯留された水を、逆流防止機構４３４よりも下流の給水路２０に供給する。ポンプ４３６は、例えばモータを有し、圧送により水を流す。ポンプ４３６は、逆流防止機構４３４のタンクに貯留された水を流出させることが可能な任意のポンプでよい。
【００３３】
ポンプ４３６の下流には、熱交換器４４０が設けられている。熱交換器４４０は、ヒータを有し、ポンプ４３６を介して逆流防止機構４３４から供給された水を加熱して例えば規定の温度まで昇温する。すなわち、熱交換器４４０は、温水を生成する。
【００３４】
熱交換器４４０は、例えばセラミックヒータなどを用いた瞬間加熱式（瞬間式）の熱交換器であり、貯湯タンクを用いた貯湯加熱式熱交換器と比較すると、短い時間で水を規定の温度まで昇温させることができる。
【００３５】
熱交換器４４０の下流には、ノズル４７３が設けられている。ノズル４７３は、例えばモータからの駆動力を受け、便器８００のボウル８０１内に進出したり後退したりする。
【００３６】
ノズル４７３は、図３に実線で表したように、非使用時には、ケーシング４００内に収納されている。ノズル４７３は、図３に破線で表したように、ケーシング４００から前方かつ下方へ進出た状態で、熱交換器４４０から供給された水を吐水口３１から吐出して、人体局部を洗浄する。
【００３７】
給水路２０に給水源から供給される水（例えば水道水）には、ナトリウム、カルシウム、カリウム、マグネシウム等が含まれていることがある。このため、給水路２０において、ナトリウム、カルシウム、カリウム、マグネシウム等を主成分とするスケール（例えば炭酸カルシウムなど）が析出することがある。
【００３８】
逆流防止機構４３４のタンクに貯留される水の量は、例えば、タンクに流入する水の量と、ポンプ４３６によってタンクから汲み出される水の量と、のバランス等によって変化する。このため、逆流防止機構４３４のタンク内の水面付近では、乾燥した状態と、濡れた状態と、が繰り返し生じ、スケールが発生しやすい。
【００３９】
また、炭酸カルシウムなどのスケールは、水温が高いほど、水に溶けにくくなり、析出しやすくなる。そのため、逆流防止機構４３４の下流に設けられた瞬間式の熱交換器４４０内の流路においては、スケールが析出し易い。
【００４０】
逆流防止機構４３４内で発生したスケールが、スケールが析出し易い熱交換器４４０まで流れると、熱交換器４４０内の流路が詰まりやすくなってしまう恐れがある。例えば、逆流防止機構４３４内で発生したスケールが、熱交換器４４０内の流路で大きく成長してしまい、流路が詰まることがある。
【００４１】
これに対して、実施形態においては、ストレーナ４３５は、逆流防止機構４３４の下流側かつ熱交換器４４０の上流側に設けられている。これにより、逆流防止機構４３４において発生したスケールは、熱交換器４４０に流れる前にストレーナ４３５によって捕集される。これにより、スケールが熱交換器４４０に流れることを抑制でき、スケールによって熱交換器４４０内の流路が詰まることを抑制することができる。
【００４２】
また、図２及び図３に示す例においては、ポンプ４３６は、ストレーナ４３５の下流側かつ熱交換器４４０の上流側に設けられている。これにより、逆流防止機構４３４において発生したスケールは、ポンプ４３６に流れる前にストレーナ４３５によって捕集される。これにより、スケールがポンプ４３６に流れることを抑制でき、スケールによってポンプ内の流路が詰まることを抑制することができる。スケールの詰まりによってポンプが動作しなくなることを抑制することができる。
【００４３】
図４は、実施形態に係る衛生洗浄装置の逆流防止機構、ストレーナ及びポンプを例示する平面図である。  
図４では、図３に示した、逆流防止機構４３４、ストレーナ４３５、及びポンプ４３６を前方から見た様子を示している。
【００４４】
図５（ａ）〜図５（ｃ）は、実施形態に係る衛生洗浄装置の逆流防止機構を例示する模式図である。  
図５（ａ）は、図４に示した逆流防止機構４３４の斜視図である。図５（ｂ）は、逆流防止機構４３４を上方から見た様子を示す。図５（ｃ）は、図５（ｂ）に示すＡ−Ａ線における、逆流防止機構４３４の断面を示す。
【００４５】
逆流防止機構は、給水路２０に設けられたタンク７０６（タンク本体）を有する。バルブユニット４３０を通過した水は、矢印Ａ１のように、タンク７０６の上部に設けられた流入口７０１からタンク７０６内に流入する。タンク７０６内に流入した水は、図５（ｃ）に示す矢印Ａ２のように流れ、タンク７０６内に溜まる。
【００４６】
また、図５（ｃ）に示すように、逆流防止機構４３４は、タンク７０６に設けられた、排出口７０３（オーバーフロー口）と流出口７０２とを有する。排出口７０３は、タンク７０６の満水水位Ｈ２を超える余剰水をタンク７０６の外へ排出する。すなわち、タンク７０６に流入した水は、タンク７０６内に貯留するが、その水位が満水水位Ｈ２を超えると、排出口７０３から、矢印ＯＦのように余剰水が外部へと流出する（オーバーフロー）。
【００４７】
流入口７０１と排出口７０３との間にはエアギャップＡＧ１が形成され、タンク７０６内の水位が上昇しても、貯留されている水が流入口７０１まで至ることはない。これによって、逆流防止機構４３４から上流への汚水の逆流防止が図られている。また、排出口７０３から便器８００のリム面までには高さＡＧ２の距離があり、これもエアギャップとして機能しており、ボウル部内で汚水が跳ね、排出口７０３からタンク７０６内に浸入してしまう事態の発生を抑制している。
【００４８】
流出口７０２は、タンク７０６の下部に設けられており、矢印Ａ３のように、タンク７０６内の水を給水路２０のタンク７０６よりも下流側へ流出させる。具体的には、流出口７０２の下流には、ストレーナ４３５を介して、ポンプ４３６が接続されている。ポンプ４３６は、流出口７０２からタンク７０６内の水を汲み出して下流に供給する。また、ポンプ４３６は、流量（水勢）の調節も可能とされている。
【００４９】
以上のように構成することで、逆流防止機構４３４のタンク７０６内に貯留されている水は、ポンプ４３６によって汲み出されるとともに、汲み出される流量は、ポンプ４３６によって調整される。流入口７０１からタンク７０６内に流入する水の流量に対し、ポンプ４３６によって汲み出され、流出口７０２から流出する水の流量が相対的に小さい場合には、タンク７０６内に貯留されている水の水位が上昇して満水水位Ｈ２を超え、排出口７０３から矢印ＯＦのように余剰水として流出する。この余剰水は、便器８００のボウル８０１に排出され、便器８００の排水時にボウル８０１の水とともに排出される。逆に、流入口７０１からタンク７０６内に流入する水の流量に対し、ポンプ４３６によって汲み出され、流出口７０２から流出する水の流量が多い場合には、タンク７０６内に貯留されている水の水位は減少する。
【００５０】
図６は、実施形態に係る逆流防止機構及びストレーナを例示する断面図である。  
図６は、図４に示すＢ−Ｂ線における、逆流防止機構４３４及びストレーナ４３５の断面を示す。  
給水路２０の一部として、流入口５２１と流出口５２２とを有する継手部５２０が設けられている。継手部５２０は、例えば略円筒状の管路５２３と、管路５２３の側面から延びる管路５２４と、を有する。流入口５２１は、管路５２４の端部であり、流出口５２２は、管路５２３の端部である。継手部５２０は、ケーシング４００に対して固定されている。
【００５１】
ストレーナ４３５は、継手部５２０の管路５２３内に挿入されている。  
ストレーナ４３５は、頭部４３５ａと軸部４３５ｂとを有する。頭部４３５ａは、例えば略円柱形状である。軸部４３５ｂは、頭部４３５ａから連続するように形成された略円筒状である。
【００５２】
頭部４３５ａの外周には、管路５２３の内壁の形状に対応したネジ溝Ｓ１（凹凸）が設けられている。ネジ溝Ｓ１と管路５２３の内壁と係合（螺合）により、ストレーナ４３５は、管路５２３に挿入された状態で、継手部５２０に対して固定される。また、このとき、管路５２３とストレーナ４３５との間にはシール部材５２８（Ｏリング）が設けられており、管路５２３とストレーナ４３５との間は、水密となっている。シール部材５２８は、ストレーナ４３５の外周において、頭部４３５ａと軸部４３５ｂとの間に位置する。
【００５３】
ストレーナ４３５が管路５２３に挿入された状態において、頭部４３５ａの端部Ｅ１は、管路５２３内から突出している。端部Ｅ１には、凹凸（例えば溝）が形成されている。
【００５４】
軸部４３５ｂには、軸部４３５ｂの表面に露出するフィルタＦ１が設けられている。フィルタＦ１は、水を通過させる一方、スケール等の異物を通過させない。フィルタＦ１には、例えば、不織布やメッシュ（網）などを用いることができる。
【００５５】
図７は、実施形態に係る逆流防止機構及びストレーナを例示する分解斜視図である。  
逆流防止機構４３４の流出口７０２と、継手部５２０の流入口５２１とは、チューブ５１１によって接続される。チューブ５１１の一端と流出口７０２とは、クランプ５０１によって固定され、チューブ５１１の他端と流入口５２１とは、クランプ５０２によって固定される。
【００５６】
継手部５２０の流出口５２２にはチューブ５１３の一端が接続される。流出口５２２とチューブ５１３の一端とは、クランプ５０３によって固定される。なお、チューブ５１３の他端は、ポンプ４３６へ接続されている（図４を参照）。
【００５７】
図６に示す矢印Ａ４のように、逆流防止機構４３４の流出口７０２から流出した水は、チューブ５１１を通り、継手部５２０の流入口５２１から管路５２４に流入する。管路５２４に流入した水は、ストレーナ４３５のフィルタＦ１を通過することで、軸部４３５ｂ内に流入する。軸部４３５ｂ内の水は、図６に示す矢印Ａ５のように、流出口５２２から流出し、チューブ５１３を通ってポンプ４３６に流入する。
【００５８】
逆流防止機構４３４の流出口７０２からストレーナ４３５までの流路（給水路２０）の断面積は、流出口７０２の断面積と同じ、または、流出口７０２の断面積よりも大きい。つまり、ストレーナ４３５は、流出口７０２の下流側において、流路が流出口７０２よりも狭くなる部分よりも上流側に設けられる。例えば、ストレーナ４３５は、流出口７０２の直後に設けられる。これにより、逆流防止機構４３４において発生したスケールは、流路の狭い部分に流れる前にストレーナ４３５によって捕集されるため、スケールによって流路が詰まることをより抑制することができる。
【００５９】
なお、ここで、断面積とは、水が流れる方向に対して垂直な断面における断面積である。この例では、流出口７０２からストレーナ４３５までの流路は、チューブ５１１及び継手部５２０の管路５２４により構成されている。チューブ５１１の断面積（内径）及び管路５２４の断面積（内径）のそれぞれは、流出口７０２の断面積（内径）と同じ、または、流出口７０２の断面積（内径）よりも大きい。
【００６０】
図８は、実施形態に係る衛生洗浄装置の一部を例示する斜視図である。  
図８に示すように、ケーシング４００の側面４００ｓには、開口部４００ａが設けられている。ストレーナ４３５は、開口部４００ａを介して、ケーシング４００に対して着脱可能である。
【００６１】
ストレーナ４３５が継手部５２０に挿入され取り付けられている状態（図６参照）、すなわち、ストレーナ４３５がケーシング４００に収納され取り付けられている状態においては、ストレーナ４３５の端部Ｅ１は、開口部４００ａからケーシング４００の外部へ露出している。使用者は、露出した端部Ｅ１を把持することなどによって、ケーシング４００からストレーナ４３５を引き抜くことができる。
【００６２】
図８に示す例では、使用者は、端部Ｅ１に設けられた凹凸（ネジ山）を利用し、ドライバなどの工具Ｄ１によってストレーナ４３５を回すことができる。これにより、ストレーナ４３５を着脱することができる。
【００６３】
このようにケーシング４００の開口部４００ａから、ストレーナ４３５が着脱可能であることにより、ケーシング４００のケースカバー４００ｃなどを取り外すことなく、ストレーナを着脱することができる。これにより、ストレーナ４３５に付着したスケールを衛生洗浄装置１００の外部へ容易に排出することができる。
【００６４】
例えば、衛生洗浄装置１００のメンテナンスにおいて、ストレーナ４３５をケーシング４００から取り外すと、ストレーナ４３５が取り付けられていない継手部５２０を介して、逆流防止機構４３４において発生したスケールを含む水が、水頭圧によって下流側のポンプに流入する恐れがある。これに対して、実施形態においては、図４に示すように、ストレーナ４３５の位置は、ポンプ４３６の位置よりも低い。これにより、ストレーナ４３５を取り外した際に、逆流防止機構４３４において発生したスケールを含む水が、下流側のポンプ４３６に流入することを抑制することができる。したがって、スケールによってポンプ４３６内の流路が詰まることをより抑制することができる。
【００６５】
図９は、実施形態に係る熱交換器を例示する断面図である。  
熱交換器４４０は、発熱体４４７と、ケース部４４８と、を有する。発熱体４４７は、筒形状部４４７１を有する。筒形状部４４７１には、複数のヒータパターン４４１が設けられている。ヒータパターン４４１は、筒形状部４４７１の周側面に沿って互いに並行に繰り返し折り返して引き回されている。ヒータパターン４４１は、筒形状部４４７１の他端４４７１ｂの側に、筒形状に沿って設けられている。ヒータパターン４４１は、例えば筒形状部４４７１の肉厚内に組み込まれている。より具体的には、ヒータパターン４４１は、例えば２層の絶縁体の間に挟持されている。
【００６６】
発熱体４４７は、例えばセラミックスによって整形されている。筒形状部４４７１の他端４４７１ｂ側は、ケース部４４８内に挿入されている。これにより、筒形状部４４７１の周囲に、発熱体４４７によって加熱される水の流路４４８ａ、４４８ｂが形成される。また、筒形状部４４７１には、フランジ部４４７２が付設されている。筒形状部４４７１の一端４４７１ａの側は、フランジ部４４７２からケース部４４８の外側に延出している。
【００６７】
発熱体４４７は、フランジ部４４７２で、例えばねじによってケース部４４８に固定されている。フランジ部４４７２とケース部４４８との間にはＯリングＲ１が設けられ、フランジ部４４７２とケース部４４８との間の密閉性を確保している。
【００６８】
ケース部４４８は、ケース部本体４４８１と、蓋部４４８２と、を有する。ケース部本体４４８１には、発熱体４４７の筒形状部４４７１を収納する空間Ｓが設けられている。ケース部本体４４８１の一端４４８１ａには、発熱体４４７のフランジ部４４７２が取り付けられる。ケース部本体４４８１の他端４４８１ｂには、蓋部４４８２が、例えばねじによって固定される。蓋部４４８２とケース部本体４４８１の他端４４８１ｂとの間には、ＯリングＲ２が設けられ、蓋部４４８２とケース部本体４４８１との間の密閉性を確保している。
【００６９】
ケース部本体４４８１の空間Ｓは、発熱体４４７の筒形状部４４７１よりも大きい。この空間Ｓにおいて、ケース部本体４４８１及び蓋部４４８２と、発熱体４４７の筒形状部４４７１との隙間に、水の流路４４８ａが形成される。
【００７０】
熱交換器４４０では、水が流路４４８ａを流れる間に、ヒータパターン４４１への通電によって加熱された発熱体４４７から溝に熱を伝え、所定温度の温水を生成する。
【００７１】
ケース部本体４４８１と、筒形状部４４７１と、の間に設けられる流路４４８ａは、例えば筒形状部４４７１の中心軸のまわりに螺旋状に設けられている。すなわち、ケース部本体４４８１の内壁には、螺旋状の溝が形成されている。螺旋状の溝は、ケース部本体４４８１に設けられた流路４４８ｂと連通している。
【００７２】
水は、発熱体４４７の筒形状部４４７１の一端４４７１ａから流入し、筒形状内を他端４４７１ｂの側に向けて流れていく（矢印Ａ）。その後、水は、筒形状部４４７１の他端４４７１ｂから流路４４８ａに流れ込み、筒形状部４４７１の中心軸のまわりに螺旋状に進む。そして、流路４４８ｂからケース部４４８の外部へ出される（矢印Ｂ）。
【００７３】
このように、螺旋状の流路４４８ａを構成すると、流路４４８ａに流れる水とヒータパターン４４１とが、より長く接することになる。これによって、熱ムラのない熱交換器４４０を実現できることになる。
【００７４】
また、流路４４８ａの断面積（内径）を小さくすることにより、流路４４８ａ内の水がヒータパターン４４１と触れやすくなり、短時間で水を加熱することができるようになる。例えば、流路４４８ａの断面積（内径）は、逆流防止機構４３４の流出口７０２の断面積（内径）よりも狭い。
【００７５】
このように、流路４４８ａは比較的狭い流路である。また、流路４４８ａはヒータパターン４４１と隣接しているため、流路４４８ａ内の水温は比較的高い。このため、流路４４８ａ内には、スケールが析出しやすい。
【００７６】
これに対して、実施形態においては、ストレーナ４３５が逆流防止機構４３４の下流側かつ熱交換器４４０の上流側に設けられる。これにより、逆流防止機構４３４において発生したスケールを含む水が熱交換器４４０に流入することを抑制し、スケールによって熱交換器４４０内の流路４４８ａが詰まることを抑制することができる。
【００７７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１０ 給水源、  ２０ 給水路、  ３１ 吐水口、  １００ 衛生洗浄装置、  ２００ 便座、  ３００ 便蓋、  ４００ ケーシング、  ４００ａ 開口部、  ４００ｃ ケースカバー、  ４００ｐ ケースプレート、  ４００ｓ 側面、  ４３０ バルブユニット、  ４３１ 電磁弁、  ４３２ 調圧弁、  ４３４ 逆流防止機構、  ４３５ ストレーナ、  ４３５ａ 頭部、  ４３５ｂ 軸部、  ４３６ ポンプ、  ４４０ 熱交換器、  ４４１ ヒータパターン、  ４４７ 発熱体、  ４４７１ 筒形状部、  ４４７１ａ 一端、  ４４７１ｂ 他端、  ４４７２ フランジ部、  ４４８ ケース部、  ４４８１ ケース部本体、  ４４８１ａ 一端、  ４４８１ｂ 他端、  ４４８２ 蓋部、  ４４８ａ、４４８ｂ 流路、  ４７３ ノズル、  ５０１、５０２、５０３ クランプ、  ５１１、５１３ チューブ、  ５２０ 継手部、  ５２１ 流入口、  ５２２ 流出口、  ５２３、５２４ 管路、  ５２８ シール部材、  ７０１ 流入口、  ７０２ 流出口、  ７０３ 排出口、  ７０６ タンク、  ８００ 便器、  ８０１ ボウル
【図１】
2019132052.tif 000003
【図２】
2019132052.tif 000004
【図３】
2019132052.tif 000005
【図４】
2019132052.tif 000006
【図５】
2019132052.tif 000007
【図６】
2019132052.tif 000008
【図７】
2019132052.tif 000009
【図８】
2019132052.tif 000010
【図９】
2019132052.tif 000011